(57)【要約】【課題】特定のメーカや卸商等のユーザが要望するような分析データを簡単に作成することを可能とするＰＯＳデータ管理方法を提供することを目的とする。【解決手段】小売本部端末（３０）より複数のＰＯＳ端末(１０、１２、１４）から収集したＰＯＳデータを取得し、ユーザ端末（５０、６０）より詳細商品分類データを取得し、詳細商品情報と前記ＰＯＳデータをマッチングさせてデータベース（７７）に記憶し、詳細商品情報による分類に基づいて前記データベースを検索することによってＰＯＳデータの分析を行い、分析結果をユーザ端末に送信するステップを有することを特徴とする管理システム（７０）におけるＰＯＳデータの管理方法。【選択図】図１
2008226152.tif 000002
【特許請求の範囲】
【請求項１】
ネットワークを通じてユーザ端末及び小売本部端末と接続された管理システムにおけるＰＯＳデータの管理方法であって、
前記小売本部端末より複数のＰＯＳ端末から収集したＰＯＳデータを取得し、
前記ユーザ端末より詳細商品分類データを取得し、
前記詳細商品情報と前記ＰＯＳデータをマッチングさせて、データベースに記憶し、
前記詳細商品情報による分類に基づいて前記データベースを検索することによって、前記ＰＯＳデータの分析を行い、
分析結果を前記ユーザ端末に送信する、
ステップを有することを特徴とするＰＯＳデータの管理方法。
【発明の詳細な説明】
【技術分野】
【０００１】
本発明は、ＰＯＳデータ管理方法に関する。
【背景技術】
【０００２】
コンビニエンスストア、スーパーマーケット等の小売業者において、決済端末に接続されたスキャナやバーコードリーダから商品に添付されているラベルのコードを読取って、その結果得られたコードに対応する商品名や単価などのデータをＰＯＳデータとしてサーバ等に送り、販売動向を分析し、売れ筋商品等を判別するためのＰＯＳシステムが知られている（例えば、特許文献１）。
【０００３】
しかしながら、商品に添付されているラベルのコードは、通常ＪＡＮ（Japanese Article Number：ジャン）コード等であって、一般的な商品識別コードとしては利用することができるが、特定のメーカや卸商等のユーザが、詳細に商品販売動向を分析するために詳細な分類分け等を行えるようにはコード体系が確立していなかった。したがって、ＰＯＳデータだけでは、ユーザが要望するような分析データを簡単に作成することは困難であった。
【０００４】
【特許文献１】特開２００１−３０６９８５号（第２図）
【発明の開示】
【発明が解決しようとする課題】
【０００５】
そこで、本発明は、上記の不具合を解消することを可能としたＰＯＳデータ管理方法を提供することを目的とする。
【０００６】
また、本発明は、特定のメーカや卸商等のユーザが要望するような分析データを簡単に作成することを可能とするＰＯＳデータ管理方法を提供することを目的とする。
【課題を解決するための手段】
【０００７】
上記課題を解決するために、本発明に係るＰＯＳデータの管理方法では、小売本部端末より複数のＰＯＳ端末から収集したＰＯＳデータを取得し、ユーザ端末より詳細商品分類データを取得し、詳細商品情報と前記ＰＯＳデータをマッチングさせてデータベースに記憶し、詳細商品情報による分類に基づいて前記データベースを検索することによってＰＯＳデータの分析を行い、分析結果をユーザ端末に送信するステップを有することを特徴とする。
【発明の効果】
【０００８】
本発明によれば、単なる一般的な商品コードに基づくデータ分析ではなく、ユーザ（卸商及びメーカ等）が作成した詳細商品分類に応じた販売データの分析ができるので、より詳細で現場の状況にあった、商品販売戦略を構築するための分析結果を求めることが可能となった。
【発明を実施するための最良の形態】
【０００９】
以下図面を参照して、本発明に係るＰＯＳデータ管理方法について説明する。
【００１０】
図１は、本発明に係るＰＯＳデータ管理方法を実行するためのシステム全体の概略を示す図である。
【００１１】
各小売店舗にそれぞれ設置された複数のＰＯＳ端末１０、１２及び１４が、ＶＰＮ（Virtual Private Network)２０を介して小売本部端末３０と接続されている。また、小売本部端末３０、卸商端末５０、メーカ端末６０及び管理システム７０が、相互にデータの送受信が行えるようにインターネット４０を介して接続されている。
【００１２】
ＰＯＳ端末１０、１２及び１４は、商品のバーコードを読取るためのスキャナ１１、１３及び１５をそれぞれ有しており、少なくとも、ＣＰＵ、ＲＯＭ、ＲＡＭ、ＶＰＮを介して小売本部端末３０へ販売データを送信するための送信部、各種ボタン、テンキー等を含む操作部、キャッシュ・ドロア等を含んで構成されている。
【００１３】
ＶＰＮ２０は、各ＰＯＳ端末からの販売データをセキュリティや通信品質を確保した上で送受信するために公衆回線を専用回線のように利用するネットワークサービスを言う。しかしながら、各ＰＯＳ端末１０、１２及び１４と小売本部端末３０とは、他の方式、例えば、インターネットやインターネットＶＰＮ等を利用して相互にデータの送受信が行えるように構成されていても良い。
【００１４】
小売本部端末３０は、複数のＰＯＳ端末１０、１２及び１４から受信した販売データを記憶するＰＯＳデータＤＢ３１を含んで構成され、少なくとも、ＣＰＵ、ＲＯＭ、ＲＡＭ、インターネットを介してデータの送受信を行うための送受信部、各種ボタン、テンキー等を含む操作部、表示部、記憶部等を含んで構成されている。
【００１５】
卸商端末５０及びメーカ端末６０は、少なくとも、ＣＰＵ、ＲＯＭ、ＲＡＭ、インターネットを介してデータの送受信を行うための送受信部、各種ボタン、テンキー等を含む操作部、表示部、記憶部、プリンター等の出力部等を含んで構成されている。また、卸商端末５０及びメーカ端末６０は、卸商及びメーカが有する詳細商品分類データを、インターネット４０を介して管理システム７０へ送信する機能、及び卸商及びメーカからの分析依頼を、インターネット４０を介して管理システム７０へ送信し、分析結果を受信して表示部に表示し出力部から印刷する機能を有している。
【００１６】
管理システム７０は、Ｗｅｂアプリサーバ７１、データ受信サーバ７２、データ分析サーバ７３、ルータ７４、ＰＯＳデータＤＢ７５、商品データＤＢ７６、商品情報マッチングＤＢ７７、各構成を接続する内部バス７８等から構成される。また、Ｗｅｂアプリサーバ７１、データ受信サーバ７２及びデータ分析サーバ７３は、それぞれ、少なくとも、ＣＰＵ、ＲＯＭ、ＲＡＭ、インターネットを介してデータの送受信を行うための送受信部、各種ボタン、テンキー等を含む操作部、表示部、記憶部、プリンター等の出力部等を含んで構成されている。
【００１７】
Ｗｅｂアプリサーバ７１は、Ｗｅｂ上で卸商端末５０及びメーカ端末６０からの分析依頼の受付や分析結果の表示・送受信等の機能を分担して受け持つ。また、データ受信サーバ７２は、小売本部端末３０からのＰＯＳデータ及び卸商及びメーカが有する詳細商品分類データを、インターネット４０を介して受信し、受信したＰＯＳデータをＰＯＳデータＤＢ７５へ記録し、受信した詳細商品分類データを商品データＤＢ７６へ記録する機能を受け持つ。さらに、データ分析サーバ７３は、受信したＰＯＳデータと詳細商品分類データとのマッチングを行い、マッチングされたデータを商品情報マッチングＤＢ７７へ記録し、卸商端末５０及びメーカ端末６０からの分析依頼に応じて、商品情報マッチングＤＢ７７を検索して分析の実行を行う機能を受け持っている。
【００１８】
図２は、ＰＯＳデータ管理方法の全体の流れを示すフロー図である。
【００１９】
図２に示すフローは、管理システム７０において、予め記憶されたプログラムにしたがって、実行されるものとする。なお、図２に示すフローが実行される時点で、小売本部端末３０は、各ＰＯＳ端末１０、１２及び１４から受信した販売データに基づいてＰＯＳデータＤＢが構築されているものとする。
【００２０】
最初に、データ受信サーバ７２が、卸商端末５０又はメーカ端末６０から、詳細商品分類データを取得し、商品データＤＢ７６に記憶する（Ｓ１）。
【００２１】
次に、データ受信サーバ７２が、小売本部端末３０からＰＯＳデータを受信し、ＰＯＳデータＤＢへ記憶する（Ｓ２）。
【００２２】
次に、データ分析サーバ７３が、ＰＯＳデータＤＢに記憶されているＰＯＳデータと商品データＤＢ７６に記憶されている詳細商品分類データとのマッチングを取り、新たに作成したデータを商品情報マッチングＤＢ７７へ記憶する（Ｓ３）。ＰＯＳデータ自体は、一般的な商品コード（例えば、ＪＡＮコード）を基準に作成されているため、特殊な用途に応じた商品販売の分析を行うことができない。そこで、卸商やメーカが作成した詳細商品分類データとＰＯＳデータとのマッチングを取って、卸商やメーカの要望にあった分析ができるようにしている。
【００２３】
例えば、同じチョコレートであっても、通年を通して販売されているものと、バレンタインデーに向けて所定期間だけ販売されるものがあるが、一般的な商品コードだけを利用したのでは、どのようなチョコレートがどのように販売されたかを明確に把握することができない。そこで、一般的な商品コードに、卸商やメーカが作成した詳細商品分類データ（例えば、通年向け、バレンタインデー用、クリスマス向け）を付加するようなマッチング処理を行う。
【００２４】
次に、Ｗｅｂアプリサーバ７１が、卸商端末５０又はメーカ端末６０から、分析の依頼を受け付けると（Ｓ４）、データ分析サーバ７３が依頼内容に基づいて、商品情報マッチングＤＢ７７を検索することによって分析を行う（Ｓ５）。
【００２５】
次に、Ｗｅｂアプリサーバ７１が、分析結果を依頼元の卸商端末５０又はメーカ端末６０へ送信して（Ｓ６）、一例のフローを終了する。
【００２６】
このように、ＰＯＳデータと詳細商品情報とのマッチングを行って、詳細商品分類に応じた販売データの分析ができるので、より詳細で現場の状況にあった分析結果を得ることが可能となった。
【図面の簡単な説明】
【００２７】
【図１】本発明に係るＰＯＳデータ管理方法を実行するためのシステム全体の概略を示す図である。
【図２】ＰＯＳデータ管理方法の全体の流れを示すフロー図である。
【符号の説明】
【００２８】
１０、１２、１４    ＰＯＳ端末
２０    ＶＰＮ
３０    小売本部端末
４０    インターネット
５０    卸商端末
６０    メーカ端末
７０    管理システム
７１    Ｗｅｂアプリサーバ
７２    データ受信サーバ
７３    データ分析サーバ
７５    ＰＯＳデータＤＢ
７６    商品データＤＢ
７７    商品情報マッチングＤＢ
【図１】
2008226152.tif 000003
【図２】
2008226152.tif 000004